(57)【特許請求の範囲】
【請求項１】
台車部（２）と、台車部（２）に分離可能に載設される座席部（３）とを有する車椅子（１）において、座席部（３）の座席支持体（１７）に回動可能に軸支されたフットレスト（２２）を独自に昇降するフットレストハンドル（３３）と、フットレストハンドル（３３）を回動上限と回動下限で掛止保持するセットハンドル（３９）と、座席支持体（１７）を固定させている回動カム（２６）を操作し座席部（３）全体を後傾姿勢にリクライニング回動し所定位置に保持するロック解除レバー（２７）と、台車部（２）を他機器に係止する台車フック（７）の係止作用を解除するフットペダル（８）と、座席部（３）を台車部（２）に係止する移乗ロック（４１）のロック作用を解除する移乗レバー（４２）と、車椅子（１）を移動させたり座席部（３）を分離させて他機器へ移乗させる取手（２５）とを、車椅子（１）の後背部に集中配備し、台車部（２）の前端に、座席部（３）を台車部（２）に自動的に係止又は解除し、座席部（３）の移動転落を阻止する座席脱落防止ジョイント（４６）を設けたことを特徴とする入浴用車椅子。
【請求項２】
座席部（３）において、座席支持体（１７）の前先端の脚受支軸（２０）に脚受支持体（２１）を軸支し、脚受支持体（２１）の下先端部にフットレスト（２２）を設け、脚受支持体（２１）の後方部に取着した昇降ピン（３８）には、背凭シート（１９）側の座席支持体（１７）に設けられた操作レバー（３４）に連結される昇降リンク（３５）が直結されており、操作レバー（３４）の後端のフットレストハンドル（３３）の操作によりフットレスト（２２）を昇降可能としたことを特徴とする請求項１記載の入浴用車椅子。
【発明の詳細な説明】
【０００１】
【産業上の利用分野】
本発明は、入浴姿勢にした身体障害者や養護老人等を、乗せて移送し入浴リフト等の浴用機器・物品その他の機器に移乗させる入浴用車椅子に関する。
【０００２】
【従来の技術】
従来の技術の特公平５−８３２５４号公報には、車輪と、走行台車と、椅子フレームと、支持軸と、椅子本体と、背凭れと、着座部と、椅子基部と、足載せ部と、軸と、椅子基部回動手段と、足載せ部増角回動手段と、レールと、椅子本体付き車輪とからなる「車椅子」が開示されている。
【０００３】
【発明が解決しようとする課題】
前記した従来装置における車椅子の椅子本体部分は、車椅子の進行方向とは直角方向に、即ち、横方向に走行台車から入浴機器へ移動するものである。
この横移動の際、入浴者にとっては身体の向きと移動方向が異なり不快感の発生の要因となり、介助者にとってはフロアー移動時等の扱いと入浴機器への移乗時の扱いと、操作方向が異なりその操作が複雑となり誤操作の要因となり、好ましいものではなかった。
【０００４】
又、入浴機器に接合の際、操作方向が直角方向に変更するため、車椅子の操作に係る各種操作部材も散在するものとなり、操作上、好ましいものではなかった。
更に又、車椅子をハーフリクライニング姿勢に変更するための構成が、簡単な手動操作で出来ない為油圧シリンダ機構によって行われており、その構成が複雑であり、安全性、清掃性、取扱性、コスト等経済性、保守性、重量等の諸点で好ましいものではなかった。
【０００５】
本発明の目的は、上記不都合な点を解決したものであり、車椅子を快適に安全に容易に操作できるようにした入浴用車椅子を提供することにある。
【０００６】
【課題を解決するための手段】
即ち本発明は、台車部（２）と、台車部（２）に分離可能に載設される座席部（３）とを有する車椅子（１）において、座席部（３）の座席支持体（１７）に回動可能に軸支されたフットレスト（２２）を独自に昇降するフットレストハンドル（３３）と、フットレストハンドル（３３）を回動上限と回動下限で掛止保持するセットハンドル（３９）と、座席支持体（１７）を固定させている回動カム（２６）を操作し座席部（３）全体を後傾姿勢にリクライニング回動し所定位置に保持するロック解除レバー（２７）と、台車部（２）を他機器に係止する台車フック（７）の係止作用を解除するフットペダル（８）と、座席部（３）を台車部（２）に係止する移乗ロック（４１）のロック作用を解除する移乗レバー（４２）と、車椅子（１）を移動させたり座席部（３）を分離させて他機器へ移乗させる取手（２５）とを、車椅子（１）の後背部に集中配備し、台車部（２）の前端に、座席部（３）を台車部（２）に自動的に係止又は解除し、座席部（３）の移動転落を阻止する座席脱落防止ジョイント（４６）を設けたことを特徴とする入浴用車椅子である。又、前記座席部（３）において、座席支持体（１７）の前先端の脚受支軸（２０）に脚受支持体（２１）を軸支し、脚受支持体（２１）の下先端部にフットレスト（２２）を設け、脚受支持体（２１）の後方部に取着した昇降ピン（３８）には、背凭シート（１９）側の座席支持体（１７）に設けられた操作レバー（３４）に連結される昇降リンク（３５）が直結されており、操作レバー（３４）の後端のフットレストハンドル（３３）の操作によりフットレスト（２２）を昇降可能としたものである。
【０００７】
【作用】
本発明の車椅子１を用いて入浴者を、入浴リフト（図示省略）等の他機器へ移乗する。台車部２は、フロアーを走行する。
座席部３は、台車部２に分離可能に載設され且つ入浴等に好適な椅子機能を有する。台車部２の上部に構成される台車受台５に、座席部３の下部に構成される座席受台１５を載せ支持する。
【０００８】
座席部３は、該座席部３の正面向きと順方向又は逆方向にスライドして台車部２から脱・着する。
座席受台１５に載設される座席部支持体１７に軸支されるフットレスト２２は昇降する。他機器へ座席部３を移乗させる時にはフットレスト２２を上昇させて行う。
車椅子１として使用する時には、台車部２と座席部３は一体的に合体し、入浴時等の他機器に移乗する時には、台車部２を他機器に係止したうえ、座席部３のみを台車部２に摺動させつつ台車部２から分離させて他機器に移乗させる。
【０００９】
座席支軸１６は、座席支持体１７の座部シート１８側の座席支軸受４８を軸支する。
座席支持体１７を擁する座席部３全体は、座席支軸１６を中心に後傾姿勢にリクライニング回動する。
座席支持体１７前先端の脚受支軸２０に軸支される脚受支持体２１は、回動可能であって、フットレスト２２を独自に昇降させる。前記脚受支持体２１の回動操作を座席部３の後方で行なう。
【００１０】
車椅子１を人力で移動させる手動操作機構の操作部材であり且つ他機器に座席部３を移乗させる手動操作機構の操作部材である取手２５を持って車椅子１を、フロアーを移動させ又他機器へ移乗させる。
座席部３を後傾姿勢にリクライニング回動し所定位置に保持する手動操作機構の操作部材であるロック解除レバー２７は、座席部３を回動させる。
【００１１】
フットレスト２２を昇降し所定位置に支持する手動操作機構の操作部材であるフットレストハンドル３３は、フットレスト３３用の昇降リンク３５を操作しフットレスト２２を昇降させる。セットハンドル３９は、フットレストハンドル３３の位置を両回動端のどちらかの一方に固定保持する。
【００１２】
座席部３を台車部２に係止又は解除する手動操作機構の操作部材である移乗レバー４２は、台車部２に対する座席部３のロックを手動で解除する。
台車部２を他機器へセッティングした際に該台車部２を他機器から離脱させる手動操作機構の操作部材であるフットペダル８は、車椅子１と他機器の係止を解除する
【００１３】
介助者は、車椅子１の後背部に集中配備された取手２５、ロック解除レバー２７、フットレストハンドル３３、セットハンドル３９、移乗レバー４２等の手動操作部材を車椅子１の後背部から操作する。
【００１４】
座席部３において、座席支持体１７の前先端の脚受支軸２０は、脚受支持体２１を軸支する。脚受支持体２１、及び脚受支持体２１の下先端部に設けられたフットレスト２２は、人の足を支持する。
【００１５】
脚受支持体２１と、背凭シート１９の後背部の座席支持体１７に設けた操作レバー３４とをくの字形状の昇降リンク３５で直結し、操作レバー３４で脚受支持体２１を回動し、フットレスト２２を昇降させる。昇降ピン３８は、フットレストハンドル３３及び昇降リンク３５を脚受支持体２１に連結する。
【００１６】
【実施例】
図１乃至図４に示す本発明実施例における車椅子１は、移動自在な台車部２と、台車部２に載せられ入浴者が座す座席部３とからなる。
【００１７】
前記台車部２は、台車フレーム４と、台車フレーム４上部の台車受台５と、座席部３の不用意な脱落を防止する安全機構をなす座席脱落防止ジョイント４６と、台車部２を入浴機器（図示省略）に係止する台車フック７と、台車フック７の係止作用を解除するフットペダル８（＝他機器から離脱させる手動操作機構）とからなる。台車フック７とフットペダル８とはペダルリンク９で連結される。
【００１８】
前記座席脱落防止ジョイント４６は、座席受台１５を台車受台５にロックしている移乗レバー４２を誤操作してロック解除し座席部３が脱落するのを防止する為のものである。
【００１９】
座席脱落防止ジョイント４６は、台車部２の前端に設けられ、座席部３を台車部２に自動的に係止又は解除し、座席部３の移動転落を阻止するものであり、車椅子１を他機器に押し当て接合すると、台車受台５の所定位置にジョイント軸５１で軸支された座席脱落防止ジョイント４６は、他機器の反動によりコイルバネ４９に抗して退入し、前記座席脱落防止ジョイント４６の爪５０が下降し座席受台１５の前進移動を許す状態となり、座席受台１５の前進移動を阻止する機能が自動的に解除される。（図４参照）
【００２０】
座席部３の移動転落を阻止又は解除する座席脱落防止ジョイント４６は、車椅子１の走行時に座席部３が過失により前方へ移動して台車部２から転落するといった事故を防ぎ、車椅子１の安全性を高める。
【００２１】
台車フレーム４の下部にはロック付キャスター１０とフリーキャスター１１が設けられる。
前記台車受台５は、座席部３を前記入浴機器に移乗できる高さにガイドロール１２を介して前後摺動可能に支持しており、又、台車受台５には、移動用の台車レール６とガイドロール１２の脱落を防止するために座席ガイド４７に相関させた台車ガイド１３が取着される。
【００２２】
又、台車受台５の後端部には、ガイドロール１２の後方への脱落を阻止する後方ストッパー１４が設けられる。
【００２３】
座席部３は、台車部２に分離可能に載設される。
座席部３は、ガイドロール１２が左右両側に回動自在に取着される座席受台１５と、座席受台１５に座席支軸１６で回動可能に載設され、背凭シート１９及び座部シート１８に亘る部材を支持する座席支持体１７と、座席支持体１７に載設される座部シート１８と、座席支持体１７に添着される背凭シート１９と、座席支持体１７の前先端に脚受支軸２０で軸支される脚受支持体２１と、脚受支持体２１に延設されるフットレスト２２と、脚受支持体２１に添着される脚当２３と、座席支持体１７に取付けられるアームレスト２４とからなる。
【００２４】
前記座席ガイド４７は、座席受台１５の下部に突設されるＬ字形の部材であり、前記台車ガイド１３に摺動自在に係止された座席部３の浮き上がりを防止するものである。
【００２５】
座席受台１５において、座席支軸１６は座席部３に人が乗った時、重心のバランスのよい位置に設けられる。
【００２６】
又、座席支持体１７は、手押で車椅子１全体を走行させたり座席部３のみを分離させて他機器へ移乗させる取手２５（＝人力で走行操作する手動操作機構、及び、台車部２を他機器へ移乗させる手動操作機構）と、前記座席支持体１７を固定させている回動カム２６を操作するロック解除レバー２７（＝リクライニング回動し所定位置に保持する手動操作機構）と、回動カム２６の下部を前方へ付勢するバネ２８とを有する。
【００２７】
回動カム２６の上部は座席支持体１７へ背側ピン２９で軸支され、ロック解除レバー２７の手動操作により回動カム２６は背側ピン２９を中心に回動し、座席支持体１７の回動位置を変えることができる。
【００２８】
回動カム２６には少なくとも二つの係止凹部３０が形成されている。座席受台１５に回動カム２６に相対して突設される突設片３１の受台ピン３２が係止凹部３０に選択的に嵌まる。前記受台ピン３２が、上係止凹部３０ａに嵌まると座席部３は後傾姿勢となり、下係止凹部３０ｂに嵌まると起立姿勢となる。
【００２９】
又、座席支持体１７には、フットレスト２２を昇降させるフットレストハンドル３３及び操作レバー３４（＝フットレスト２２を昇降し所定位置に保持する手動操作機構）と、操作レバー３４の下端と前記脚受支持体２１の所定位置とを連結するくの字形状の部材でなる昇降リンク３５とが更に設けられる。
【００３０】
操作レバー３４の下部はレバー支軸３６で座席支持体１７に軸着され、操作レバー３４の下部と昇降リンク３５とは操作ピン３７で軸支され、脚受支持体２１と昇降リンク３５とは昇降ピン３８で軸支される。前記昇降リンク３５は操作レバー３４の回動に係る変位を脚受支持体２１に伝導するものである。
操作レバー３４は、回動上限と回動下限でセットハンドル３９により掛止保持される。
【００３１】
更に又、座席支持体１７には、座席受台１５から台車レール６に対して差込ピン４０をスプリング（図示省略）力で進入させ、座席部３を台車部２に係止する移乗ロック４１が構成され、更に、該移乗ロック４１のロック作用を解除する移乗レバー４２が座席支持体１７に設けられる。
又、座席支持体１７には、入浴者を固定するベルト４３が取着される。ベルト４３は背凭シート１９に取着される場合もある。
【００３２】
尚、図３中、４５は入浴機器側に設けられる入浴機器台部（図示省略）に接続する接続具である。
【００３３】
実施例を使用するに際しては、介助者は、先ず、車椅子１の座席部３に入浴者を乗せ、浴室へ移送する。ロック付キャスター１０のロックを掛け、入浴者の予洗を行う。
リクライニング姿勢で予洗を行う場合は、取手２５を持ったままでロック解除レバー２７を引き、回動カム２６を回動させ、取手２５を後下方へ引き、背凭シート１９を後傾させたリクライニング姿勢にする。
【００３４】
フットレスト２２を上昇させる場合は、セットハンドル３９を引いたうえフットレストハンドル３３を下方に押さえ、昇降リンク３５を伝導させて脚受支持体２１を上方へ回動させ、フットレスト２２を上昇させる。
入浴者を予洗した後に、ロック付キャスター１０のロックを解除して入浴機器まで移動し、車椅子１の先部を入浴機器に接合する。
【００３５】
座席部３を台車部２から入浴機器等の他物品へ移乗する際の、車椅子１の操作を述べる。
車椅子１が入浴機器に接合されると、台車フック７が該入浴機器に自動的に掛ると共に、座席脱落防止ジョイント４６が自動的に作用し該ジョイント６が解除状態になる。
【００３６】
次に、キャスターロックペダル４４のロックを掛け、続いて、手動で移乗レバー４２を引き上げ座席部３と台車部２のロックを解除すると同時に、座席部３を、台車受台５から入浴機器に押し込み移乗させる。
入浴機器が入浴リフトである場合、該入浴リフトを操作し入浴者を浴槽（図示省略）の湯中に入れ、入浴を行う。
退浴時には入浴者を前記浴槽の湯から出し、座席部３を後退させ入浴リフトから台車受台５へ移乗する。
【００３７】
座席部３を入浴機器から台車部２へ移乗した後、車椅子１を入浴機器から離間する際の車椅子１の操作を述べる。
座席部３を台車部３の後方ストッパー１４の位置まで後退させると、移乗ロック４１は前記スプリング力により自動的にロック作動し、座席部３が台車部２に掛止する。
【００３８】
次に、キャスターロックペダル４４を蹴り上げロック付キャスター１０のロックを外し、フットペダル８を踏んで台車フック７を入浴機器から外すと同時に、車椅子１を後退させ入浴機器から離間させ、しかる後に、入浴者を清拭する等の適宜な所作を施し入浴を終わる。
【００３９】
リクライニング姿勢にしていた背凭シート１９を起立姿勢に戻す場合は、取手２５を持ったままで、ロック解除レバー２７を引くと同時に、取手２５を上げ背凭シート１９を起立姿勢に戻す。
次に、セットハンドル３９を操作し保持作用を解除しフットレストハンドル３３を上げ、フットレスト２２を下降させる。
【００４０】
【発明の効果】
本発明における座席部３は、台車部２上を前進移動して該台車部２から分離し入浴機器に移乗するので、介助者は、車椅子１を押す方向を変えることなく座席部３を入浴機器へ移乗でき、介助操作がし易い。又、入浴者も、移乗方向が走行方向と変わらないので、移乗に係る横揺れが付加されず余分な不快感を生ずることなく、好都合である。
【００４１】
本発明は、座席支持体１７の擁する座席部３の全体を後傾姿勢にリクライニング回動可能にし、更に、フットレスト２２の昇降回動を可能としたものである。
【００４２】
この構成によれば、フットレスト２２だけを単独で昇降させることができる。故に、リクライニング回動させたうえに更にフットレスト２２だけを単独で昇降させることができ、又、リクライニング回動をしないでフットレスト２２だけを単独で昇降させることもでき、使用時に、入浴者の体形や障害を考慮したうえ好適な座席部３姿勢を選択的に作ることができ、入浴者に無理な姿勢を強いること無く、入浴者を快適な状態にして入浴その他の用途に使用でき、好都合である。
【００４３】
本発明は、フットレストハンドル３３と、セットハンドル３９と、ロック解除レバー２７と、フットペダル８と、移乗レバー４２と、取手２５等の各種手動操作機構に係る各操作部材が集中的に車椅子１の後背部に設けられるので、介助者は、各種必要な操作が、車椅子１の後背部で全て出来るので、介助操作がし易く、又、誤操作も減らすことができ、好都合である。
更に、本発明は、台車部２の前端に、座席部３を台車部２に自動的に係止又は解除し、座席部３の移動転落を阻止する座席脱落防止ジョイント４６を設けたものであるから、車椅子１の走行時に座席部３が過失により前方へ移動して台車部２から転落するといった事故を防ぎ、車椅子１の安全性を高めることができ好都合である。
【００４４】
本発明は、フットレストハンドル３３及び操作レバー３４で、昇降リンク３５を作動させ脚受支持体２１を直接的に動かすことができるので、構成をシンプルにでき、機構ロスが少なく、軽量化となって車椅子１の走行も楽になり、故障も減るものであり、好都合である。
【図面の簡単な説明】
【図１】本発明の実施例の右側面図である。
【図２】本発明の実施例の背面図である。
【図３】本発明の実施例における背凭シート、座部シート、脚当を透視した平面図である。
【図４】本発明の実施例における座席脱落防止ジョイントの部分図である。
【符号の説明】
１  車椅子
２  台車部
３  座席部
５  台車受台
８  フットペダル
１５  座席受台
１６  座席支軸
１７  座席支持体
１８  座部シート
１９  背凭シート
２０  脚受支軸
２１  脚受支持体
２２  フットレスト
２５  取手
２７  ロック解除レバー
３３  フットレストハンドル
３４  操作レバー
３８  昇降ピン
３９  セットハンドル
４２  移乗レバー
４４  キャスターロックペダル
４６  座席脱落防止ジョイント
４８  座席支軸受
【図１】
0003549999.tif 000002
【図２】
0003549999.tif 000003
【図３】
0003549999.tif 000004
【図４】
0003549999.tif 000005